(57)【要約】本発明は、特に自動車のコンフォート機能を操作するための遠隔操作装置（１０）に関する。本発明に従い、遠隔操作装置は、使用者によって管理可能なマルチメディアデータメモリ（１２）を備える。
2008517500.tif 000002
【特許請求の範囲】
【請求項１】
特に自動車のコンフォート機能を操作するための遠隔操作装置（１０）において、遠隔操作装置が使用者によって管理可能なマルチメディアデータメモリ（１２）を備えることを特徴とする遠隔操作装置（１０）。
【請求項２】
遠隔操作装置が、独立ヒータ、独立ベンチレーション装置、独立空調装置、車両インターロック、盗難防止装置、温度や車内電源電圧のような色々な状態および特性パラメータの質問、といった自動車のコンフォート機能を操作するために設計されていることを特徴とする請求項１に記載の遠隔操作装置（１０）。
【請求項３】
遠隔操作装置がマルチメディアデータを再生する手段（１４）を備えることを特徴とする請求項１または２に記載の遠隔操作装置（１０）。
【請求項４】
遠隔操作装置が少なくとも１個の第１インターフェース（１６、１８）を備え、この第１インターフェースに、マルチメディアデータを再生する手段（４４、４６）が接続可能であることを特徴とする前記請求項のいずれか一項に記載の遠隔操作装置（１０）。
【請求項５】
遠隔操作装置がマルチメディアデータを圧縮および／または解凍する手段（２０）を備えることを特徴とする前記請求項のいずれか一項に記載の遠隔操作装置（１０）。
【請求項６】
遠隔操作装置が少なくとも１個の第２インターフェース（２２、２４）を備え、この第２インターフェースを介して、コンフィギュレーションデータ、遠隔操作データおよび／またはマルチメディアデータが、ケーブルによって、無線によって、光学的に、および／または超音波によって、送信および／または受信可能であることを特徴とする前記請求項のいずれか一項に記載の遠隔操作装置（１０）。
【請求項７】
遠隔操作装置にエネルギーを供給可能な少なくとも１個のエネルギーアキュムレータ（２８）にエネルギーを充填するための充填レギュレータ（２６）を備えることを特徴とする前記請求項のいずれか一項に記載の遠隔操作装置（１０）。
【請求項８】
マルチメディアデータメモリ（１２）がオーディオデータ、写真データおよび／またはビデオデータを記憶するように設計されていることを特徴とする前記請求項のいずれか一項に記載の遠隔操作装置（１０）。
【請求項９】
遠隔操作装置が少なくとも１個の操作要素（３０、３２、３４、３６、３８）を備えることを特徴とする前記請求項のいずれか一項に記載の遠隔操作装置（１０）。
【発明の詳細な説明】
【技術分野】
【０００１】
本発明は、特に自動車のコンフォート機能を操作するための遠隔操作装置に関する。
【背景技術】
【０００２】
色々な機能のための多数の遠隔操作装置が存在する。例えば、オーディオ機器および／またはビデオ機器を操作するための遠隔操作装置、家庭用具を操作するための遠隔操作装置、および特に自動車のコンフォート機能を操作するための遠隔操作装置が知られている。これらの公知の遠隔操作装置は、無線、赤外線および／または超音波で制御命令を送信する。
【発明の開示】
【発明が解決しようとする課題】
【０００３】
本発明の根底をなす課題は、機能領域が拡張されるように、公知の遠隔操作装置を改良することである。
【課題を解決するための手段】
【０００４】
この課題は請求項１の特徴によって解決される。
【０００５】
本発明の有利な実施形態と発展形態とは、従属請求項から明らかになる。
【０００６】
本発明による遠隔操作装置は、冒頭に述べた従来技術において、遠隔操作装置が使用者によって管理可能なマルチメディアデータメモリを備えることを特徴とする。このマルチメディアデータメモリは特にフラッシュメモリ、ＥＥＰＲＯＭ、および／またはＲＡＭによって形成可能である。このようなデータメモリの場合、データは、高速のシリアルデータインターフェースまたはパラレルデータインターフェースを介してメモリに達し、同じ経路で再び呼び出される。本文において、用語“マルチメディア”は広く解釈すべきであり、すなわち、典型的なマルチメディアデータのほかに、場合によっては例えば使用者の個人的なアドレス帳等を表すデータをマルチメディアデータメモリに記憶することができる。データのモバイル記憶およびそのモバイル利用が益々重要になってきているので、使用者が本発明による遠隔操作装置をきわめて頻繁に持つことになると考えられる。（ＧＳＭやＵＭＴＳのような）モバイル無線通信サービスの利用と異なり、本発明による遠隔操作装置は、データ転送を無料で行うことができると好ましい。
【０００７】
上述のように他の用途が原則的には可能であるが、本発明による遠隔操作装置は特に、独立ヒータ、独立ベンチレーション装置、独立空調装置、車両インターロック、盗難防止装置、温度や車内電源電圧のような色々な状態および特性パラメータの質問のような自動車のコンフォート機能を操作するために設計することができる。
【０００８】
本発明による遠隔操作装置の好ましい実施形態では、更に、遠隔操作装置がマルチメディアデータを再生するための手段を備える。このような手段は、特に適切なディスプレイおよび／または少なくとも１個のスピーカによって形成可能である。
【０００９】
更に、本発明による遠隔操作装置の実施形態では、遠隔操作装置が少なくとも１個の第１インターフェースを備え、この第１インターフェースには、マルチメディアデータを再生するための手段が接続可能である。マルチメディアデータを再生するための手段は、例えば、ヘッドホンおよび／または別個のディスプレイによって形成可能である。
【００１０】
更に、本発明による遠隔操作装置にとって、遠隔操作装置がマルチメディアデータを圧縮および／または解凍するための手段を備えると好ましい。マルチメディアデータを圧縮および／または解凍するための手段は、それ自体公知のごとく、専門家に知られているハードウェアおよび／またはソフトウェアによって形成可能である。
【００１１】
本発明による遠隔操作装置が少なくとも１個の第２インターフェースを備え、この第２インターフェースを介して、コンフィギュレーションデータ、遠隔操作データおよび／またはマルチメディアデータがケーブルによって、無線で、光学的に、および／または超音波によって、送信および／または受信可能であると有利である。第２インターフェースは、例えば、コンピュータとデータを交換可能にするＵＳＢインターフェースまたはＦｉｒｅＷｉｒｅインターフェースである。更に、実際の遠隔制御命令を転送するように第２インターフェース（または他のインターフェース）を設けることができる。
【００１２】
また、好ましい実施形態では、本発明による遠隔操作装置は、遠隔操作装置にエネルギーを供給可能な少なくとも１個のエネルギーアキュムレータにエネルギーを充填するための充填レギュレータを備える。勿論、原理的には交換可能な一次電池の使用も可能であるが、再充電可能であって充電状態が必要に応じてディスプレイに表示可能であるバッテリが好ましい。再充電可能なバッテリは、例えばコンピュータ（ＵＳＢまたはＦｉｒｅＷｉｒｅ／ＩＥＥ１３９４）に対するインターフェースを介して、充電可能である。
【００１３】
好ましい実施形態では、マルチメディアデータメモリがオーディオデータ、写真データ、および／またはビデオデータを記憶するように設計されている。原理的には、マルチメディアデータメモリに記憶可能なデータのフォーマットは任意である。しかし、遠隔操作装置自体によって再生されるデータファイルのデータフォーマットを、一般的な規格に制限すると有利である。現在、一般的な規格は例えば
オーディオについてはＷＭＡ、ＡＡＣ、ＭＰＥＧ−３（ＭＰ３）;
写真についてはＪＰＥＧ;そして
ビデオについてはＭＰＥＧ−４
である。
【００１４】
本発明による遠隔操作装置の場合、少なくとも１個の操作要素を備えると有利である。操作要素は、例えばいわゆる“ジョグダイアル”操作要素および／または適切なボタンおよび／またはタッチパッドのようなポインティングデバイスである。
【発明を実施するための最良の形態】
【００１５】
次に、関連する図に基づいて本発明の好ましい一実施の形態を詳しく説明する。
【００１６】
図１は、本発明による遠隔操作装置の一実施の形態と、この遠隔操作装置に接続可能なマルチメディアデータ再生手段との概略的な透視図である。
【００１７】
図示した遠隔操作装置１０は、独立ヒータ、独立ベンチレーション装置、独立空調装置、車両インターロック、盗難防止装置等のような自動車のコンフォート機能を操作するための遠隔操作装置である。本発明に従い、この遠隔操作装置は、例えばフラッシュメモリ、ＥＥＰＲＯＭおよび／またはＲＡＭによって形成可能なマルチメディアデータメモリ１２を備える。更に、マルチメディアデータメモリを使用者によって交換できるようにすることができ、マルチメディアデータメモリはメモリカード等であってもよい。マルチメディアデータを再生するための手段は図示ではディスプレイ１４の形をしている。場合によっては、電気音響信号を再生するための装置、例えば図示していないスピーカを付加的にまたは代替的に設けることができる。第１ジャック１６と第２ジャック１８の形をした第１インターフェースが設けられている。第１ジャック１６にはマルチメディアデータを再生する手段としてのヘッドホン４４が接続可能であり、第２ジャック１８には追加ディスプレイ４６が接続可能であり、この追加ディスプレイ４６はディスプレイ１４よりも大きくてもよいし及び／又はより高い解像度を有していてもよい。できるだけ大きなデータ量をマルチメディアデータメモリ１２に記憶できるようにするために、マルチメディアデータを圧縮および解凍するための手段が設けられており、このような手段はマイクロプロセッサをベースとした制御装置２０によって形成される。制御装置２０は、更に、マルチメディアデータメモリ１２の物理的管理を含む遠隔操作装置１０の働き全体を制御することができるようになっている。更に、無線アンテナ２４と取り外し可能なキャップ４０の下方に配置されるデータインターフェース２２とを含む第２インターフェース２２、２４、例えばＵＳＢインターフェースまたはＩＥＥＥ１３９４インターフェースが設けられる。遠隔操作装置１０は、第２インターフェース２２、２４を介して、コンフィギュレーションデータ、遠隔操作データおよびマルチメディアデータを送受信可能である。これは、ケーブルによって、無線によって、光学的に、および／または超音波によって行うことができる。更に、バッテリの形をしたエネルギーアキュムレータ２８を充電することができる充電レギュレータ２６が設けられている。エネルギーアキュムレータの充電のための外部エネルギー源として、例えば、データインターフェース２２を介して遠隔操作装置１０に接続されるコンピュータが役立つ。図１に示されているように、４個のボタン３２、３４、３６、３８と１個の“ジョグダイアル”操作要素３０の形をした複数の操作要素が設けられている。操作人は、これらの操作要素３０〜３８を介して、遠隔操作装置１０のすべての機能を制御することができる。例えばデータを交換するために、遠隔操作装置１０がコンピュータに接続されていると、遠隔操作装置１０の操作の全部または一部を、コンピュータの操作要素を介して行うことができる。更に、遠隔操作装置１０を例えばキーホルダーに固定することができる環４２が設けられている。遠隔操作装置１０の寸法は、好ましくは小さく選定され、少なくとも遠隔操作装置の使用者が問題なく携行できるように選定される。
【００１８】
上記の説明、図、および特許請求の範囲において開示される本発明の特徴は、個々においても任意の組合せにおいても本発明を実施するために重要である。
【図面の簡単な説明】
【００１９】
【図１】本発明による遠隔操作装置の一実施の形態およびこの遠隔操作装置に接続可能なマルチメディアデータ再生手段の概略的な透視図である。
【符号の説明】
【００２０】
１０  遠隔操作装置
１２  マルチメディアデータメモリ
１４  ディスプレイ
１６  第１インターフェース／第１ジャック
１８  第１インターフェース／第２ジャック
２０  制御装置
２２  第２インターフェース／データインターフェース
２４  第２インターフェース／無線アンテナ
２６  充電レギュレータ
２８  エネルギーアキュムレータ
３０  操作要素
３２  操作要素／ボタン
３４  操作要素／ボタン
３６  操作要素／ボタン
３８  操作要素／ボタン
４０  キャップ
４２  環
４４  ヘッドホン
４６  追加ディスプレイ
【図１】
2008517500.tif 000003
【国際調査報告】
2008517500.tif 000004
2008517500.tif 000005
2008517500.tif 000006
2008517500.tif 000007
2008517500.tif 000008
2008517500.tif 000009